(57)【要約】【課題】障子の戸先框に障子の把手による開操作の初動を軽減補助する開閉補助機構を設けると共に、同じく戸先框に戸先錠として設けたカマ錠の開錠を、前記開閉補助機構の把手の開操作により自動的に行うようにした戸先錠解除機構付き開口部装置を提供を提供する。【解決手段】建物の開口部の方形状に形成された枠体と、該枠体内に引違い式又は片引き式に開閉自在に設けられる方形状に形成された障子とからなる開口部装置において、障子の戸先框に障子の把手による開操作の初動を軽減補助する開閉補助機構を設けると共に、同じく戸先框に戸先錠として設けたカマ錠の開錠を、把手の開操作に連動して回動する開閉補助機構の回動アームとカマ錠のカマ部回動部材の施開錠保持機構とが当接して、カマ部回動部材の施開錠保持機構の施錠保持を解除する。【選択図】              図１３
2004353378.tif 000002
【特許請求の範囲】
【請求項１】
建物の開口部の方形状に形成された枠体と、該枠体内に引違い式又は片引き式に開閉自在に設けられる方形状に形成された障子とで構成される開口部装置の障子の戸先框に障子の把手による開操作の初動を軽減補助する開閉補助機構を設けると共に、同じく戸先框に戸先錠として設けたカマ錠の開錠を、前記把手の開操作に連動して自動的に操作されるようにしたことを特徴とする戸先錠解除機構付き開口部装置。
【請求項２】
建物の開口部の方形状に形成された枠体と、該枠体内に引違い式又は片引き式に開閉自在に設けられる方形状に形成された障子とで構成される開口部装置の障子の戸先框に障子の把手による開操作の初動を軽減補助する開閉補助機構を設けると共に、同じく戸先框に戸先錠として設けたカマ錠の開錠は、把手の開操作に連動して回動する開閉補助機構の回動アームとカマ錠のカマ部回動部材の施開錠保持機構とが当接して、カマ部回動部材の施開錠保持機構の施錠保持を解除するようにしたことを特徴とする戸先錠解除機構付き開口部装置。
【発明の詳細な説明】
【０００１】
【発明の属する技術分野】
本発明は、ビルやマンション等のテラス、窓等の障子の開口部装置に係り、大型化した窓障子や、風圧などを受けて開けにくいビル等の引違い式又は片引き式の障子の戸先框に開操作の初動を補助する開閉補助機構とカマ錠を設けた障子において、開閉補助機構の操作と共にカマ錠を自動的に開錠するようにした戸先錠解除機構付き開口部装置に関するものである。
【０００２】
【従来の技術】
【特許文献１】特願２００１−３５４２８７号
近年、多くのビルやマンション等のテラスや窓障子としてサッシが多く使用されている。特に建物自体の高層化や窓障子の大型化に伴い、風が吹いている時に障子を開ける際、吹き付ける風の風圧によって障子の中央部で撓みが生じ、窓障子の框枠に設けられた気密材が窓枠に押し付けられて密着して摩擦抵抗が大きくなって重くなり開け難く、特に、引違い式又は片引き式の障子では開け始めの際には強い力を要している。また例え、風圧を受けていなくても、引違い式の障子では施錠装置であるクレセント錠により施錠時に、召合い框に設けられた気密材が他方の障子の召合い框に押し付けられて密着状態となり、クレセント錠を開錠しても障子が開け難い場合もある。また、吹き付ける風圧により障子の撓み防止のために障子自体の構造を頑丈なものとすると障子自体の重量が増して重くなり障子の開け始めには強い力を要している。
【０００３】
ビルやマンション等での引違い式又は片引き式の窓障子を開ける際に、該窓障子の開け始めの際の初動の力を軽減補助するためテコの原理を利用した開口部装置として、従来公知の手段として上記「特許文献１」に記載の開口部の開閉補助機構を備えた開口部装置が提案されている。以下、この従来公知の開口部の開閉補助機構を開口部装置について図２１〜２２により説明する。
【０００４】
図２１は開口部装置の室内側正面図で、符号６０は、ビルやマンション等で使用されている窓障子である。この窓障子６０は、上下の上枠６１ａ、下枠６１ｂ及び左右の縦枠６１ｃ、縦枠６１ｄとで方形に構成された枠体６１と、この枠体６１内に装着される二枚の障子６２、６２が、上枠６１ａ、下枠６１ｂに形成された溝及びレールの間に引違い式に開閉可能に装着されている。各障子６２、６２は、上下の上框６３ａ、下框６３ｂ及び左右の召合せ框６３ｃ、戸先框６３ｄとで方形に構成された框体６３と、該框体６３内に装着されたガラス６４とで構成されている。二枚の障子６２、６２の閉状態で互いに接する召合せ框６３ｃ、６３ｃ間にはクレセント錠６５が設けられ、また、各障子６２、６２の戸先框６３ｄ、６３ｄ内には、障子を開ける際の初動を補助する把手部６７により操作される開閉補助機構６６、６６が収納されている。
【０００５】
図２２は従来公知の開口部装置の一部横断面図で、この障子６２の戸先框６３ｄの内部に収納された障子を開ける際の初動を軽減補助する開閉補助機構６６は、戸先框６３ｄの内部に設けられ縦枠６１ｃを押圧する反力で障子６２を開方向へ押し動かす作動部６８を有する本体部６９と、戸先框６８ｄの室内側に設けられた前記作動部６８を操作すると共に障子６２を開閉操作するための把手部６７とを有している。該本体部６９は角筒状に折曲げてなるケーシングを有し、このケーシング内にレバー状の作動部６８が回動自在に収容されている。この作動部６８の基部には、把手部６７に突設された断面四角形の駆動軸７２の先端部が嵌挿係合されており、作動部６８の先端にはローラが軸支されている。ケーシングの縦枠がわ面には、作動部６８の先端部が出没可能な開口部が設けられており、ケーシングの上下の取付片部はネジで戸先框６３ｄに取付けられている。なお、符号７０は、把手部６７を戸先框６３ｄの室内側に取付けるための台座部である。
【０００６】
障子６２を開ける場合には、障子６２の戸先框６３ｄの内部に収納された開閉補助機構６６の把手部６７を掴んで障子６２の開方向に力を加えると、把手部６７の回転力が駆動軸７２を介して作動部６８に伝達され、作動部６８が駆動軸７２を支点として回動し、作動部６８の先端のローラがケーシングの開口部から縦枠６１ｃの内側面を押圧し、この押圧力による反力で障子６２を開ける際の初動を補助するものである。そして、この障子の戸先框に障子の把手による開操作の初動を軽減補助する開閉補助機構を収納した開口部装置では、更に防犯性を向上させるために、障子の召合せ框に設けたクレセント錠の外に引違い窓の戸先框に補助錠としてカマ錠を取付けている。
【０００７】
【発明が解決しようとする課題】
上記従来の引違い窓の戸先部に障子の開操作の初動を軽減補助する把手による開閉補助機構を設けると共に、戸先框に補助錠としてカマ錠を取付けた開口部装置では、障子の開操作の手順として、先ず、障子の召合せ框に設けたクレセント錠を開錠すると共に障子の戸先框に取付けたカマ錠を開錠し、次に、把手による開閉補助機構のアシストを得ながら障子を開けると云うダブルアクション操作となっている。しかしながら、普段はこのような障子の開操作の手順を知っていたとしても、何気なく障子を開けようとした場合や慌てて障子を開ける場合と云った事態が発生した時、または、このような障子の開操作の手順を知らない人が障子を開ける場合などには、戸先框に設けたカマ錠が開錠しきらないうちに開閉補助機構を操作してしまって、開閉補助機構によるアシスト機能が働いてカマ錠のカマ部に過剰な力がかかったり、また、カマ錠のカマ部と係合する開口枠の縦枠に設けた開口部に過剰な力がかかってカマ錠や開口枠の縦枠の受け具が破損するなど、操作性に問題があった。
【０００８】
そこで、本発明は、上述した課題によりなされたもので、障子の戸先框に障子の把手による開操作の初動を軽減補助する開閉補助機構を設けると共に、同じく戸先框に戸先錠として設けたカマ錠の開錠を、戸先框に設けた該開閉補助機構の把手の開操作により自動的に行うようにし、例え通常の開操作手順を忘れた時や該開操作手順を知らなくとも、戸先錠の開錠操作は開閉補助機構の把手を倒すことで、把手の開操作で回動アームが出る以前にカマ錠の開錠が自動的に行われるので、操作性が良く、開錠操作を行う手順の煩わしさがなく、且つ、戸先框に設けた戸先錠を破損することにないようにした戸先錠解除機構付き開口部装置を提供することを目的とするものである。
【０００９】
【課題を解決するための手段】
上記の目的を達成するため、本発明の請求項１に記載の発明は、建物の開口部の方形状に形成された枠体と、該枠体内に引違い式又は片引き式に開閉自在に設けられる方形状に形成された障子とで構成される開口部装置の障子の戸先框に障子の把手による開操作の初動を軽減補助する開閉補助機構を設けると共に、同じく戸先框に戸先錠として設けたカマ錠の開錠を、前記把手の開操作に連動して自動的に操作されるようにしたことを特徴とするものである。また、上記の目的を達成するため、本発明の請求項２に記載の発明は、建物の開口部の方形状に形成された枠体と、該枠体内に引違い式又は片引き式に開閉自在に設けられる方形状に形成された障子とで構成される開口部装置の障子の戸先框に障子の把手による開操作の初動を軽減補助する開閉補助機構を設けると共に、同じく戸先框に戸先錠として設けたカマ錠の開錠は、把手の開操作に連動して回動する開閉補助機構の回動アームとカマ錠のカマ部回動部材の施開錠保持機構とが当接して、カマ部回動部材の施開錠保持機構の施錠保持を解除するようにしたことを特徴とするものである。
【００１０】
【発明の実施の形態】
以下、本発明の戸先錠解除機構付き開口部装置の実施の態様を図１〜図２０によって説明する。図１は、本発明の戸先錠解除機構付き開口部装置の横断面図、図２は、本発明の開口部装置の部分横断面図、図３は、本発明の開口部装置の側面図、図４は、本発明の開口部装置の開閉補助機構内蔵座金の縦断面図、図５は、本発明の開口部装置の開閉補助機構内蔵座金の側断面図、図６は、本発明の開口部装置のカマ錠の縦断面図、図７は、本発明の開口部装置のカマ錠の縦断面図、図８は、本発明の開口部装置のカマ錠の横断面図、図９は、本発明の開口部装置のカマ錠の背縦断面図、図１０は、本発明の開口部装置のトリガーとスライダーと回動アームとの動作図、図１１は、本発明の戸先錠解除機構付き開口部装置の分解図、図１２は、本発明の戸先錠解除機構付き開口部装置の取付図、図１３は、本発明の戸先錠解除機構付き開口部装置の作動図、図１４は、本発明の開口部装置のカマ錠のトリガーとスライダーとの作動図、図１５は、本発明の開口部装置のカマ錠のトリガーとスライダーとの作動図、図１６は、本発明の開口部装置のカマ錠のトリガーとスライダーとの作動図、図１７は、本発明の開口部装置の別の実施の態様の側断面図、図１８は、図１７の拡大図、図１９は、本発明の開口部装置の別の実施の態様の縦断面図、図２０は、本発明の開口部装置のトリガーと回動アームとの関連説明図である。
【００１１】
本発明の戸先錠解除機構付き開口部装置も図２１により前述した開口部装置と同様、ビルやマンションなどで使用されている窓等の障子に使用されるもので、障子は建物の開口に、上下の上枠、下枠及び左右の縦枠とで方形に構成された枠体と、この枠体内に装着される二枚の障子が、上枠、下枠に形成された溝及びレールの間に引違い式に開閉可能に装着されている。各障子は、上下の上框、下框及び左右の召合せ框、戸先框とで方形に構成された框体と、該框体内に装着されたガラスとで構成され、障子の戸先框には、障子の開操作の際に初動を補助する把手部により操作される開閉補助機構が設けられている。
【００１２】
図１〜５は本発明の戸先錠解除機構付き開口部装置で、障子の戸先框にカマ錠機能を有する台座部に開閉補助機構を内蔵した開閉補助機構内蔵座金を取付けたものを示している。符号１は、方形に構成された開口部の枠体の縦枠で、符号３は、方形に構成された開口部の枠体内に装着される障子２の戸先框である。この障子２の戸先框３の室内側には、取付座金１２、カマ錠１３、障子の開操作を補助する開閉補助機構を内蔵した開閉補助機構内蔵座金５を介して把手６が取付ネジ１４により取付けられ、障子２の召合せ框４には、相手側の障子２の召合せ框４との間に施錠するクレセント錠１１が取付けられている。また、符号９は、カマ錠の摘み部８の操作によりカマ錠１３から出没するカマ部であり、施錠状態と開錠状態の９０度回動するようになっている。戸先框３側の縦枠１に設けたカマ受け兼当たり座金１０と係合するもので、また、開閉補助機構内蔵座金５に内蔵され把手６の操作により回動されて突出する開閉補助機構の回動アーム３４の先端に軸支されたローラが当接し、この開閉補助機構の回動アーム３４の先端に軸支されたローラがカマ受け兼当たり座金１０を押すときの反力によって障子２は開操作される。また、符号１６は、カマ錠の台板に設けられており、回動する開閉補助機構の回動アーム３４と当接するトリガーである。
【００１３】
図６〜９には、本発明の戸先錠解除機構付き開口部装置のカマ錠が図示されており、カマ錠の台板１７には、カマ錠の摘み部８の操作により上下方向（図６参照で）にスライド自在にスライダー１８が取付けられている。そして、このスライダー１８の一端の復帰バネ取付部２０には復帰バネ１９が取付けられ、復帰バネ１９の他端はカマ錠の台板１７に植設された復帰バネ固定部２１に取付けられ、復帰バネ１９によりスライダー１８は常時復帰バネ固定部２１の下方向に引っ張られている。また、スライダー１８には凸形状ガイド溝２４が形成されており、カマ錠のカマ部９に植設されたピン２５と係合している。施錠状態では、スライダー１８は、復帰バネ１９に引っ張られてスライダー１８に形成された凸形状ガイド溝２４の下端部（図６参照で）でカマ錠の台板１７のガイド兼カマ支軸２２と当接しており、開錠された状態では、スライダー１８に形成された凸形状ガイド溝２４の上端部（図６参照で）でガイド兼カマ支軸２２と当接している。
【００１４】
カマ部９に植設されたピン２５は、スライダー１８の凸形状ガイド溝２４と係合していると共に、カバー体２７に形成されたガイド溝部２３とも係合しており、スライダー１８の上下動によるカマ部９の回動によりカバー体２７に形成されたガイド溝部２３内をガイドされている。そして、カマ錠のカマ部９はスライダー１８がカマ錠の摘み部８によって上下動されることによりガイド兼カマ支軸２２を中心として回動し出没動する。
【００１５】
図１０の符号１６はカマ錠の台板１７に設けられたトリガーで、出没子と出没子の内部に収納されたバネ４６とで構成されており、出没子の傾斜部に開閉補助機構内蔵座金５に内蔵され把手６の操作により回動されて突出する開閉補助機構の回動アーム３４が当接することにより、トリガー１６の出没子がカマ錠の台板１７に没してスライダー１８の上下動スライドを可能とする。そして、このスライダー１８のスライドによりスライダー１８の凸形状ガイド溝２４と係合するカマ部９に植設されたピン２５は、カバー体２７のガイド溝部２３にガイドされるので、ピン２５を植設したカマ部９はカマ錠の台板１７のガイド兼カマ支軸２２を回動中心として回動してカマ錠のカマ部９をカバー体２７内に戻し開錠する。
【００１６】
図１１〜１３には、本発明の戸先錠解除機構付き開口部装置の障子２の戸先框３への取付分解と作動について図示されており、先ず、障子２の戸先框３の側面に取付台座１２をネジなどの固定具で取付け、この取付台座１２の上に、カマ錠の摘み部８、カマ部９、スライダー１８、復帰バネ１９、トリガー１６等を装備したカマ錠の台板１７を取付ける。そしてこの上に、把手６を有し開閉補助機構を内蔵した開閉補助機構内蔵座金５をカバーする台座カバー体１５を取付け、取付ネジ１４、１４で台座カバー体１５、カマ錠の台板１７を取付台座１２に取付ける。
【００１７】
図１４に示すように、カマ錠の摘み部８を上方に上げてカマ錠のカマ部９が施錠状態にあるとき、スライダー１８はバネ４６に抗して上方にあるが、スライダー１８に形成された切欠き部１８１は、バネ４６によって突出しているトリガー１６と係合してトリガー１６の出没子の側面上に載ってロックされた状態であるので、例え、スライダー１８がバネ４６で引っ張られていても、スライダー１８は下がることはない。このため、カマ錠を開錠しようとしてカマ錠の摘み部８下げても、スライダー１８に形成された切欠き部１８１は、トリガー１６と係合して、スライダー１８はロックされた状態にありスライダー１８下げることはできず、カマ錠の摘み部８の操作のみでカマ錠を開錠することはできない。
【００１８】
図１５は、障子２の戸先框３に設けた開閉補助機構の把手６を図４、１３に示すように矢印イの方向に操作して障子２を開けようとしている状態で、カマ錠のカマ部９が開錠の中途状態を示している。開閉補助機構の把手６を開操作（図４、１３の矢印イの方向に）すると、把手６と回動軸２９を介して連結されている回動アーム３４が回動することにより、回動アーム３４がトリガー１６の出没子の傾斜面と当接する。そして、このトリガー１６の出没子の傾斜面と当接した回動アーム３４が更に回動することによって、トリガー１６の出没子はカマ錠の台板１７内に没し、トリガー１６の出没子の側面と係合していたスライダー１８の切欠き部１８１は係合が外れることになる（図１６参照）。なお、トリガー１６の出没子と係合するスライダー１８の切欠き部１８１に代えて、スライダー１８にトリガー１６の出没子と係合する孔を形成してもよい。
【００１９】
このようにスライダー１８の切欠き部１８１とトリガー１６との係合が外れることによって、バネ１９で引っ張られていたスライダー１８は復帰バネ固定部２１側に戻る。スライダー１８が戻ることにより、スライダー１８に設けられている凸形状ガイド溝２４に係合しているカマ部９に植設されたピン２５がスライダー１８の下方への移動するによりカマ部９はカマ錠の台板１７側に納まり、カマ錠は開錠される。また、カマ錠が開錠された状態からカマ錠を施錠するには、カマ錠の摘み部８を上方に上げるとスライダー１８は上がり、スライダー１８に形成されている凸形状ガイド溝２４にカマ部９のピン２５が係合しているので、カマ部９は回動突出して縦枠１に設けられているカマ受け兼当たり座金１０に係合して施錠される。
【００２０】
図１７〜２０には、本発明の開口部装置の別の実施の態様が示されている。この別の実施の態様の開口部装置は、カマ錠と開閉補助機構とを一体化した戸先錠解除機構付きの開口部装置である。障子２の戸先框３の室内側には開閉補助機構の把手６が設けられ、この把手６の基部には回動軸２９が突設され、この回動軸２９の先端部は、障子２の戸先框３に取付られた台座３０内の回動アーム３４の基部に嵌挿係合されており、該回動アーム３４の先端にはローラ３５が支軸３９で軸支されている。把手６に矢印イ方向の力が加わらないときには、復帰バネ３６によって回動アーム３４は、台座３０に復帰するようになっている。また、台座３０に植設されたピン３２１とカマ部９の基部付近の突起片４４に植設されたピン３２２との間には、回動アーム３４復帰用の復帰バネ３７が張設されている。
【００２１】
台座３０に植設されたピン３２１とカマ部９に植設されたピン３２２とは、カマ部９のガイド兼カマ支軸２２を挟んで対設されており、張設された復帰バネ３７がデッドポイントを越えた時には、カマ部９を施錠状態に保ち、張設された復帰バネ３７がこのデッドポイントから戻った時には、カマ部９は、図１８の時計方向に回動して開錠状態となる。なお、符号４３は回動アーム３４に植設したピンで、カマ部９の突起片４４と当接してカマ部９の過回動を防止していると共に、障子２を開けるための把手６の回動による回動アーム３４の回動で回動アーム３４に植設したピン４３がカマ部９の突起片４４を時計回り方向へ押すことで、張設された復帰バネ３７がデッドポイントを越えてカマ部９を回動させ、開閉補助機構の回動アーム３４の先端のローラ３５が該カマ受け兼当たり座金１０を押圧する以前にカマ部９を開錠方向に回動させて縦枠１に設けられているカマ受け兼当たり座金１０から外している。以上述べたようにカマ錠の開錠は、開閉補助機構の把手６の開操作による回動アーム３４の回動により自動的に行われるが、カマ錠の施錠は、カマ錠に設けられているサムターンを回すことによりカマ部９が施錠方向に回動突出して縦枠１のカマ受け兼当たり座金１０と係合し施錠される。
【００２２】
次に、本発明の戸先錠解除機構付き開口部装置の作用について説明する。従来の開閉補助機構付き開口部装置と同様、障子２の戸先框３の側面に取付けられた戸先錠解除機構付き開口部装置は、全閉状態にある障子２の召合せ框４のクレセント錠１１を開錠して、把手６を回動すると、把手６からの回動力は、把手６に突設した回動軸２９を介して回動アーム３４を復帰バネ３６に抗しながら回動する。回動アーム３４の先端に軸支されたローラ３５は、開閉補助機構内蔵座金５の前面部に形成された開口部から突出する。
【００２３】
そして、このローラ３５が、縦枠１に設けたカマ受け兼当たり座金１０と当接する前に、回動する回動アーム３４は、カマ錠のカマ部９に植設されたピン２５と係合しているスライダー１８の切欠き部１８１と係合しているトリガー（カマ錠の台板１７に出没自在に設けられ出没子と出没子の内部に収納されたバネ２８とで構成される）１６と当接して、トリガー１６をカマ錠の台板１７内に沈めることにより、スライダー１８が復帰バネ１９によって瞬時に下方向にスライドすることで、スライダー１８とピン２５で係合しているカマ錠のカマ部９を開錠方向に回動させる。このとき、把手６の回動操作により回動する回動アーム３４の先端のローラ３５は、まだ縦枠１の内側面に設けたカマ受け兼当たり座金１０と当接しておらず、カマ錠のカマ部９に余計な力が加わることがないのでカマ部９が損傷することはない。
【００２４】
この開口部から突出したローラ３５は、縦枠１の内側面に設けたカマ受け兼当たり座金１０と当接し、回動アーム３４の先端のローラ３５が該カマ受け兼当たり座金１０を押圧する反力で障子２を開方向へ押し動かし始める。このローラ３５が縦枠１に設けたカマ受け兼当たり座金１０を押す反力で障子２を開方向へ押し動かす力が、人による障子２の把手６で障子２を開けようとする力にアシストされるので、例え、障子２の戸先框３に設けられた気密材が窓の縦枠１に密着していたとしても、開操作の初動時において、開閉補助機構を内蔵した開閉補助機構内蔵座金５の回動アーム３５の先端に軸支されたローラ３５によるアシスト力が障子２に作用するので、容易に障子２を開けることができる。
【００２５】
また、本発明の別の実施の態様の開口部装置では、全閉状態にある障子２の召合せ框４のクレセント錠１１を開錠して、把手６を回動すると、把手６からの回動力は、把手６に突設した回動軸２９を介して回動アーム３４を回動し、回動アーム３４の先端に軸支されたローラ３５は、開閉補助機構内蔵座金５の前面部に形成された開口部から突出する。このローラ３５が、縦枠１に設けたカマ受け兼当たり座金１０と当接する前に、障子２を開けるための把手６の回動による回動アーム３４の回動で回動アーム３４に植設したピン４３がカマ部９の突起片４４を時計回り方向へ押すことにより、台座３０に植設されたピン３２１とカマ部９に植設されたピン３２２との間に張設された復帰バネ３７がデッドポイントを越えてカマ部９を施錠状態から開錠状態に回動させる。
【００２６】
回動アーム３４の先端のローラ３５が該カマ受け兼当たり座金１０を押圧する以前にカマ部９を開錠方向に回動させて縦枠１に設けられているカマ受け兼当たり座金１０から外す。このように、回動アーム３４の先端のローラ３５が、縦枠１のカマ受け兼当たり座金１０と当接する以前にカマ錠のカマ部９が外れるので、カマ部９が損傷することはない。そして、カマ受け兼当たり座金１０に回動アーム３４の先端のローラ３５が当接して押圧する反力で障子２を開方向へ押し動かす力が、人が障子２の把手６で障子２を開けようとする力にアシストされるので、容易に障子２を開けることができる。
【００２７】
このように、本発明の戸先錠解除機構付き開口部装置では、障子の戸先框の側面に取付けた戸先錠解除機構付き開口部装置の把手の回動操作に連動してカマ錠のカマ部が開錠状態に戻って開錠を自動的に行うことができる。そして、このカマ部の戻りは、開閉補助機構による障子の開操作以前であるのでカマ錠を損傷することなく、開閉補助機構による障子の初動をアシストされるばかりではなく、把手の回動操作に連動してカマ錠を開錠することができる。また、カマ錠の開錠は、把手の回動操作に連動して自動的に行うが、カマ錠の施錠操作は手動で行うので、ベランダに閉め出されることはない。
【００２８】
なお、上記記載において、戸先錠解除機構付き開口部装置が障子の戸先框の室内側に取付た形式のものについて説明したが、この戸先錠解除機構付き開口部装置が障子の戸先框の内部に収納した形式、または、把手部は障子の戸先框の室内側に取付け、戸先錠解除機構付き開口部装置は障子の戸先框の室外側にと分離した形式にすることが可能であり、これら３形式に対応するには、回動軸の長さを適宜の長さにすることで対応可能である。
【００２９】
【発明の効果】
以上説明したように、本発明の戸先錠解除機構付き開口部装置は、障子の戸先框に取付けた戸先錠解除機構付き開口部装置の開閉補助機構によって障子の初動のアシストを行うと共に、該戸先錠解除機構付き開口部装置の把手の回動操作に連動してカマ錠のカマ部が開錠状態に戻されて開錠を自動的に行い、また、カマ錠の開錠は開閉補助機構による障子の開操作以前であるのでカマ錠を損傷することはない、と云う効果を奏する。
【図面の簡単な説明】
【図１】本発明の戸先錠解除機構付き開口部装置の横断面図、
【図２】本発明の開口部装置の部分横断面図、
【図３】本発明の開口部装置の側面図、
【図４】本発明の開口部装置の開閉補助機構内蔵座金の縦断面図、
【図５】本発明の開口部装置の開閉補助機構内蔵座金の側断面図、
【図６】本発明の開口部装置のカマ錠の縦断面図、
【図７】本発明の開口部装置のカマ錠の縦断面図、
【図８】本発明の開口部装置のカマ錠の横断面図、
【図９】本発明の開口部装置のカマ錠の背縦断面図、
【図１０】本発明の開口部装置のトリガーとスライダーと回動アームとの動作図、
【図１１】本発明の戸先錠解除機構付き開口部装置の分解図、
【図１２】本発明の戸先錠解除機構付き開口部装置の取付図、
【図１３】本発明の戸先錠解除機構付き開口部装置の作動図、
【図１４】本発明の開口部装置のカマ錠のトリガーとスライダーとの作動図、
【図１５】本発明の開口部装置のカマ錠のトリガーとスライダーとの作動図、
【図１６】本発明の開口部装置のカマ錠のトリガーとスライダーとの作動図、
【図１７】本発明の開口部装置の別の実施の態様の側断面図、
【図１８】図１７の拡大図、
【図１９】本発明の開口部装置の別の実施の態様の縦断面図、
【図２０】本発明の開口部装置のトリガーと回動アームとの関連説明図、
【図２１】開口部装置の室内側正面図で、
【図２２】従来公知の開口部装置の一部横断面図である。
【符号の説明】
１  縦枠、  ２  障子、  ３  戸先框、  ４  召合い框、
５  開閉補助機構内蔵座金、  ６  把手、  ８  カマ錠の摘み部、
９  カマ部、  １０  カマ受け兼当たり座金、  １１  クレセント錠、
１２  取付台座、  １３  カマ錠、  １４  取付ネジ、  １５  台座カバー体、
１６  トリガー、  １７  カマ錠の台板、  １７１  カマ錠の台板のカバー体、
１８  スライダー、  １８１  切欠き部、  １９  復帰バネ、
２０  復帰バネ取付部、  ２１  復帰バネ固定部、
２２  ガイド兼ラッチ支軸、  ２３  ガイド溝部、  ２４  凸形状ガイド溝、
２５  ピン、  ２６  取付孔、  ２７  カバー体、  ２８  バネ、
２９  回動軸、  ３０  台座、  ３１  回動軸、  ３２１  ピン、
３２２  ピン、  ３３  復帰バネ取付ピン、  ３４  回動アーム、
３５  ローラ、  ３６  復帰バネ、  ３７  復帰バネ、  ３８  台座、
３９  支軸、  ４０  ストッパー部、  ４１  開口部、  ４２  開口部、
４３  ピン、  ４４  突起片、  ４６  バネ、  ４７  取付台座。
【図１】
2004353378.tif 000003
【図２】
2004353378.tif 000004
【図３】
2004353378.tif 000005
【図４】
2004353378.tif 000006
【図５】
2004353378.tif 000007
【図６】
2004353378.tif 000008
【図７】
2004353378.tif 000009
【図８】
2004353378.tif 000010
【図９】
2004353378.tif 000011
【図１０】
2004353378.tif 000012
【図１１】
2004353378.tif 000013
【図１２】
2004353378.tif 000014
【図１３】
2004353378.tif 000015
【図１４】
2004353378.tif 000016
【図１５】
2004353378.tif 000017
【図１６】
2004353378.tif 000018
【図１７】
2004353378.tif 000019
【図１８】
2004353378.tif 000020
【図１９】
2004353378.tif 000021
【図２０】
2004353378.tif 000022
【図２１】
2004353378.tif 000023
【図２２】
2004353378.tif 000024